(57)【要約】【課題】こじるような強引なプラグの抜き差しがなされた際に端子の半田付け部分に加わるストレスが低減されるレセプタクルを提供すること。【解決手段】レセプタクルは、光信号伝送用プラグを受け入れるための挿入孔を有しプリント基板上に載置されるハウジングと、受け入れた光信号伝送用プラグに対して光信号の授受を行うためにハウジング内に収容された光電変換素子と、ハウジングを覆ってプリント基板上に固定するための金属製の帯状部材とを備え、ハウジングはプリント基板との対向面を除く外周面に帯状部材の形状に対応して窪んだ位置決め用凹部と、位置決め用凹部の上に張り出したツバ部とを有し、帯状部材は、ツバ部に係止されるように位置決め用凹部に収容・固定され、かつ、ハウジングを挟んで対向する部分からそれぞれ突出する突出片を有し、突出片はプリント基板に予め形成された貫通孔に挿通され半田付けされる。【選択図】図３
2004079202.tif 000002
【特許請求の範囲】
【請求項１】
光信号伝送用プラグを受け入れるための挿入孔を有しプリント基板上に載置されるハウジングと、受け入れた光信号伝送用プラグに対して光信号の授受を行うためにハウジング内に収容された光電変換素子と、ハウジングを覆ってプリント基板上に固定するための金属製の帯状部材とを備え、ハウジングはプリント基板との対向面を除く外周面に帯状部材の形状に対応して窪んだ位置決め用凹部と、位置決め用凹部の上に張り出したツバ部とを有し、帯状部材は、ツバ部に係止されるように位置決め用凹部に収容・固定され、かつ、ハウジングを挟んで対向する部分からそれぞれ突出する突出片を有し、突出片はプリント基板に予め形成された貫通孔に挿通され半田付けされるレセプタクル。
【請求項２】
帯状部材は突出片近傍に半田のはい上がりを防止するための貫通孔を有する請求項１に記載のレセプタクル。
【請求項３】
突出片は、帯状部材の先端から帯状部材の長手方向へ突出する請求項１または２に記載のレセプタクル。
【請求項４】
突出片は、帯状部材の側端から帯状部材の長手方向と直交する方向へ突出する請求項１または２に記載のレセプタクル。
【請求項５】
請求項１〜４のいずれか１つに記載のレセプタクルを備える電子機器。
【発明の詳細な説明】
【０００１】
【発明の属する技術分野】
この発明は、レセプタクルに関し、詳しくは、ＤＶＤプレーヤー、ＴＶ、ＳＴＢ、ＡＶレシーバー、および、パソコン、ＰＤＡ、携帯電話などの電子機器に用いられるレセプタクルに関する。
【０００２】
【従来の技術】
従来のレセプタクルとして、光信号伝達用プラグを受け入れる受け入れ口を有するハウジングと、ハウジング内に収容され光信号伝達用プラグとの間で光信号の授受を行う光電変換素子とを備えるものが知られている。
一般にこのようなレセプタクルは、光電変換素子から延出しハウジングの外へ突出する端子がプリント基板に予め形成された貫通孔に挿通され、半田付けされることによりプリント基板上に固定される。
【０００３】
また、レセプタクルをより容易、かつ、確実にプリント上に固定するために、様々な取付方法や取付構造が考えられている。
例えば、取付治具を介してレセプタクル（コネクタ）をプリント基板にビス留めし仮固定した後、端子を半田付けして最終的に固定する取り付け方法が一般に知られている（例えば、特開平１１−１６７９６６号公報参照）
また、プリント基板に立設された金属製のピンをレセプタクル（コネクタ）の取付部に形成された孔に圧入した後、ピンを加熱して取付部とピンを溶着させることにより固定する取付構造も知られている（例えば、特開２０００−５６１８６号公報参照）。
【０００４】
【発明が解決しようとする課題】
一般にレセプタクルは、プリント基板上に固定された状態においてプラグの抜き差しが繰り返される。
また、その抜き差しの際に所定の挿入方向または離脱方向にぴったり沿うように抜き差しされればよいが、場合によっては所定の方向に沿わない、いわゆるこじるような強引な抜き差しがなされることもある。
【０００５】
こじるような強引な抜き差しが繰り返された場合、端子の半田付け部分にストレスが加わり、最悪の場合には半田付け部分にクラックが入って接続不良となることがある。
このため、こじるような強引な抜き差しがなされても端子の半田付け部分にストレスが加わらないような取付構造が必要となる。
【０００６】
この発明は以上のような事情を考慮してなされたものであり、こじるような強引なプラグの抜き差しがなされた際に端子の半田付け部分に加わるストレスが低減されるレセプタクルを提供するものである。
【０００７】
【課題を解決するための手段】
この発明は、光信号伝送用プラグを受け入れるための挿入孔を有しプリント基板上に載置されるハウジングと、受け入れた光信号伝送用プラグに対して光信号の授受を行うためにハウジング内に収容された光電変換素子と、ハウジングを覆ってプリント基板上に固定するための金属製の帯状部材とを備え、ハウジングはプリント基板との対向面を除く外周面に帯状部材の形状に対応して窪んだ位置決め用凹部と、位置決め用凹部の上に張り出したツバ部とを有し、帯状部材は、ツバ部に係止されるように位置決め用凹部に収容・固定され、かつ、ハウジングを挟んで対向する部分からそれぞれ突出する突出片を有し、突出片はプリント基板に予め形成された貫通孔に挿通され半田付けされるレセプタクルを提供するものである。
【０００８】
つまり、この発明によるレセプタクルは、ハウジングを覆ってプリント基板上に固定するための帯状部材を備え、帯状部材はその形状に対応するように窪んだ位置決め用凹部にツバ部に係止されたうえで収容・固定される。
このため、帯状部材はプラグの挿入方向および挿入方向に直交する方向のいずれの方向についてもハウジングに対して確実に係止され、こじるような強引な抜き差しがなされてもハウジングから外れにくくなるので、ハウジングがプリント基板へ強固に固定される。
この結果、端子の半田付け部分に加わるストレスが低減される。
【０００９】
【発明の実施の形態】
この発明によるレセプタクルは、光信号伝送用プラグを受け入れるための挿入孔を有しプリント基板上に載置されるハウジングと、受け入れた光信号伝送用プラグに対して光信号の授受を行うためにハウジング内に収容された光電変換素子と、ハウジングを覆ってプリント基板上に固定するための金属製の帯状部材とを備え、ハウジングはプリント基板との対向面を除く外周面に帯状部材の形状に対応して窪んだ位置決め用凹部と、位置決め用凹部の上に張り出したツバ部とを有し、帯状部材は、ツバ部に係止されるように位置決め用凹部に収容・固定され、かつ、ハウジングを挟んで対向する部分からそれぞれ突出する突出片を有し、突出片はプリント基板に予め形成された貫通孔に挿通され半田付けされることを特徴とする。
【００１０】
この発明によるレセプタクルにおいて、光信号伝送用プラグとしては、一般の電子機器で共通的に用いられている形状のものを用いることができる。
また、ハウジングは樹脂成形されたものを用いることができ、その外形は例えば、立方体状あるいは直方体状などとすることができる。
また、ハウジング内に収容される光電変換素子としては、プラグから入力された光信号を電気信号に変換して出力するもの、あるいはプリント基板の回路から入力された電気信号を光信号に変換して出力するものを用いることができる。
【００１１】
金属製の帯状部材としては、板状のアルミ、鉄、銅などからなり、ハウジングの外形に倣って湾曲あるいは屈曲したものを用いることができる。
例えば、ハウジングが立方体状または直方体状である場合、帯状部材としては断面コの字状に屈曲したものを用いることができる。
【００１２】
ハウジングの位置決め用凹部は、帯状部材を嵌め入れてハウジングに対する帯状部材の位置を規定するためのものであり、帯状部材の外形に対応する窪みによって形成される。
位置決め用凹部は、その少なくとも一部の上にツバ部が張り出している。
ツバ部の位置や張り出し具合は、帯状部材の取付け易さや、取付けた後の外れにくさ等を考慮して適宜決定できるが、例えば、位置決め用凹部の一方の縁に部分的にツバ部が張り出した形態とすることができる。
【００１３】
この発明によるレセプタクルにおいて、帯状部材は突出片近傍に半田のはい上がりを防止するための貫通孔を有していてもよい。
このように構成すると、半田付けを行う際に帯状部材をつたってはい上がってくる半田を貫通孔に留めることができ、貫通孔より先へ半田がはい上がりずらくなる。この結果、実装された状態におけるレセプタクルの信頼性を向上させることができる。
【００１４】
また、この発明によるレセプタクルにおいて、突出片は、帯状部材の先端から帯状部材の長手方向へ突出していてもよいし、あるいは、帯状部材の側端から帯状部材の長手方向と直交する方向へ突出していてもよい。
つまり、この発明では、突出片の突出方向を適宜変更することにより、ハウジングと帯状部材との係合構造を変更することなく、ハウジングの取付面（プリント基板との対向面）を変更することができる。
【００１５】
また、この発明は別の観点からみると、上述のこの発明によるレセプタクルを備える電子機器を提供するものでもある。
【００１６】
【実施例】
以下にこの発明の実施例によるレセプタクルについて図面に基づいて詳細に説明する。なお、以下の複数の実施例において、共通する部材には同じ符号を用いて説明する。
【００１７】
実施例１
図１はこの発明の実施例１によるレセプタクルの正面図、図２は図１に示されるレセプタクルの平面図、図３は図１に示されるレセプタクルの左側面図、図４は図１に示されるレセプタクルの背面図、図５は図３のＡ−Ａ断面図、図６は実施例１によるレセプタクルに用いられる帯状部材の正面図、図７は図６に示される帯状部材の左側面図である。
【００１８】
図１〜図５に示されるように、実施例１によるレセプタクル１は、光信号伝送用プラグ（図示せず）を受け入れるための挿入孔２ａを有しプリント基板１０上に載置されるハウジング２と、受け入れた光信号伝送用プラグに対して光信号の授受を行うためにハウジング２内に収容された光電変換素子５と、ハウジング２を覆ってプリント基板１０上に固定するための金属製の帯状部材３とを備え、ハウジング２はプリント基板１０との対向面を除く外周面に帯状部材３の形状に対応して窪んだ位置決め用凹部２ｂと、位置決め用凹部２ｂの上に張り出したツバ部２ｃとを有し、帯状部材３は、ツバ部２ｃに係止されるように位置決め用凹部２ｂに収容・固定され、かつ、ハウジング２を挟んで対向する部分からそれぞれ突出する突出片３ａを有し、突出片３ａはプリント基板１０に予め形成された貫通孔１１に挿通され半田付けされるように構成されている。
【００１９】
図１および図４に示されるように、ハウジング２の取付面には光電変換素子５から延出する３本の端子４が突出し、プリント基板１０の回路へ半田付けされている。
また、図３に示されるように、帯状部材３はその突出片３ａの近傍に貫通孔３ｂを有し、半田付け時に突出片３ａからはい上がってくる溶融した半田を貫通孔３ｂに留めることにより半田のはい上がりを防止している。また、突出片３ａは帯状部材３の先端からその長手方向に突出している。
【００２０】
帯状部材３は単体として図６および図７に示すような形状を有し、図２〜図５に示されるようにハウジング２の位置決め用凹部２ｂにツバ部２ｃに係止されたうえで収容・固定されている。
このため、帯状部材３はハウジング２に対して光信号伝送用プラグの挿入方向Ｆ１（図３参照）および挿入方向に直交する方向Ｆ２（図４参照）のいずれの方向に対してもハウジング２に確実に係止・固定される。
この結果、ハウジング２は帯状部材３によってプリント基板１０に強固に固定されるようになり、光信号伝送用プラグがこじるように抜き差しされても端子４の半田付け部分に過度のストレスが加わらなくなる。
【００２１】
実施例２
図８はこの発明の実施例２によるレセプタクルの正面図である。
図８に示されるように、実施例２によるレセプタクル２１は、上述の実施例１によるレセプタクル１の突出片３ａおよび端子４の突出部位と方向を変更したものであり、その他の点については変更されていない。
【００２２】
実施例２によるレセプタクル２１の帯状部材２３は、突出片２３ａが帯状部材２３の側端からその長手方向と直交する方向に突出すると共に、端子２４が突出片２３ａと同一の方向に突出している。
つまり、突出片２３ａおよび端子２４の突出部位と方向を変更することにより、ハウジング２２と帯状部材２３との係合構造を実施例１と同様としたままで、ハウジング２２の取付面（プリント基板１０との対向面）を実施例１から変更している。
【００２３】
【発明の効果】
この発明によれば、レセプタクルは、ハウジングを覆ってプリント基板上に固定するための帯状部材を備え、帯状部材はその形状に対応するように窪んだ位置決め用凹部にツバ部に係止されたうえで収容・固定される。
このため、帯状部材はプラグの挿入方向および挿入方向に直交する方向のいずれの方向についてもハウジングに対して確実に係止され、こじるような強引な抜き差しがなされてもハウジングから外れにくくなり、ハウジングがプリント基板へ強固に固定される。この結果、端子の半田付け部分に加わるストレスが低減される。
【図面の簡単な説明】
【図１】この発明の実施例１によるレセプタクルの正面図である。
【図２】図１に示されるレセプタクルの平面図である。
【図３】図１に示されるレセプタクルの左側面図である。
【図４】図１に示されるレセプタクルの背面図である。
【図５】図３のＡ−Ａ断面図である。
【図６】この発明の実施例１によるレセプタクルに用いられる帯状部材の正面図である。
【図７】図６に示される帯状部材の左側面図である。
【図８】この発明の実施例２によるレセプタクルの正面図である。
【符号の説明】
１・・・レセプタクル
２・・・ハウジング
２ｃ・・・ツバ部
３・・・帯状部材
３ａ・・・突出片
３ｂ，１１・・・貫通孔
４・・・端子
１０・・・プリント基板
Ｆ１・・・挿入方向
【図１】
2004079202.tif 000003
【図２】
2004079202.tif 000004
【図３】
2004079202.tif 000005
【図４】
2004079202.tif 000006
【図５】
2004079202.tif 000007
【図６】
2004079202.tif 000008
【図７】
2004079202.tif 000009
【図８】
2004079202.tif 000010